(57)【要約】【課題】  粉粒体を圧縮空気で搬送するときに、その量を調節する調節機構を目詰まりや摩耗のないものにする。【解決手段】  粉粒体を圧縮空気によって搬送する粉粒体の風送装置における粉粒体量の調節機構であり、この調節機構が、粉粒体を垂直に投下する投下路と、投下路の下方に設けられて投下された粉粒体を堆積させる堆積室と、堆積室を一定の風束で透過する搬送風を流通させる搬送風路とを有しており、堆積室における搬送風路に直角な方向では、堆積室が少なくとも投下された粉粒体を山形に堆積させる広さを有しており、かつ、投下路と搬送風路との距離を接近、離反可能に構成していることを特徴とする粉粒体の風送装置における粉粒体量の調節機構。【選択図】  図２
2008105775.tif 000002
【特許請求の範囲】
【請求項１】
粉粒体を圧縮空気によって搬送する粉粒体の風送装置における粉粒体量の調節機構であり、この調節機構が、粉粒体を垂直に投下する投下路と、投下路の下方に設けられて投下された粉粒体を堆積させる堆積室と、堆積室を一定の風束で透過する搬送風を流通させる搬送風路とを有しており、堆積室における搬送風路に直角な方向では、堆積室が少なくとも投下された粉粒体を山形に堆積させる広さを有しており、かつ、投下路と搬送風路との距離を接近、離反可能に構成していることを特徴とする粉粒体の風送装置における粉粒体量の調節機構。
【請求項２】
搬送風路が堆積室の端面と底面に接して形成されている請求項１の粉粒体の風送装置における粉粒体量の調節機構。
【請求項３】
投下路が搬送風路に対して移動可能に構成されている請求項１又は２の粉粒体の風送装置における粉粒体量の調節機構。
【請求項４】
粉粒体が加圧されて投下路に投下されるものであり、その加圧圧力と搬送風の圧力がほぼ同じに設定される請求項１〜３いずれかの粉粒体の風送装置における粉粒体量の調節機構。
【請求項５】
粉粒体が非球形の砂礫である請求項１〜４いずれかの粉粒体の風送装置における粉粒体量の調節機構。
【発明の詳細な説明】
【技術分野】
【０００１】
本発明は、粉体・粒体（粉粒体）を風によって搬送する粉粒体の風送装置において、搬送風の中に含まれる粉粒体量を調節する調節機構に関するものである。
【背景技術】
【０００２】
粉粒体を圧縮空気によって搬送する風送装置は、種々の目的の下で数多く使用されているが、この場合において、その粉粒体量を調節する必要がある。下記特許文献１には、粉粒体を貯蔵する貯蔵庫の出口にその放出量を調整する開閉調整弁を設け、その開度によって加減するものが示されている。しかし、この先行例のものでは、調整弁の開度をわずかに開いて微量放出しようとする場合、調整弁と通路壁との隙間に粉粒体が詰まってブリッジ現象を呈し（目詰まり現象）、放出されないといったことがある。特に粒径の大きい粉粒体ではこの目詰まりの問題が大きい。また、粉粒体が調整弁を摩耗させるという問題もあり、特に非球形の砂礫のような粉粒体は研削作用を有することから、これも大きな問題となる。
【特許文献１】特開平０７−０３３２５１号公報
【発明の開示】
【発明が解決しようとする課題】
【０００３】
本発明は、粉粒体量が微量であっても放出できる上に摩耗等の問題がない搬送風における粉粒体量の調節を可能にしたものである。
【課題を解決するための手段】
【０００４】
以上の課題の下、本発明は、請求項１に記載した、粉粒体を圧縮空気によって搬送する粉粒体の風送装置における粉粒体量の調節機構であり、この調節機構が、粉粒体を垂直に投下する投下路と、投下路の下方に設けられて投下された粉粒体を堆積させる堆積室と、堆積室を一定の風束で透過する搬送風を流通させる搬送風路とを有しており、堆積室における搬送風路に直角な方向では、堆積室が少なくとも投下された粉粒体を山形に堆積させる広さを有しており、かつ、投下路と搬送風路との距離を接近、離反可能に構成していることを特徴とする粉粒体の風送装置における粉粒体量の調節機構を提供したのである。
【０００５】
また、本発明は、これにおいて、請求項２に記載した、搬送風路が堆積室の端面と底面に接して形成されている手段、請求項３に記載した、投下路が搬送風路に対して移動可能に構成されている手段、請求項４に記載した、粉粒体が加圧されて投下路に投下されるものであり、その加圧圧力と搬送風の圧力がほぼ同じに設定される手段、請求項５に記載した、粉粒体が非球形の砂礫である手段を提供する。
【発明の効果】
【０００６】
請求項１の構成によると、堆積室に山形に堆積された粉粒体に一定の風束の搬送風を作用させると、搬送風は粉粒体に重複する部分を掠め取って搬送して行くことになる。したがって、この間、粉粒体が接触する部分はなく、たとえ、請求項４の砂礫のような粉粒体であろうとも、摩耗の問題は発生しない。加えて、投下路と搬送風路の間隔を変えて搬送風と粉粒体の重複する部分の大小を加減することで、搬送量を調整できる。この点で、粉粒体を隙間を通して送るものではないから、目詰まりは生ぜず、搬送量を高精度に微調整できる。特に、きわめて微量の粉粒体であっても搬送することができる。また、請求項２〜４の手段によると、効率の向上及び粉粒体量の調整がより高精度になる。
【発明を実施するための最良の形態】
【０００７】
以下、本発明の実施の形態について図面を参照して説明する。図４は本発明に係る調節機構の平面図、図１及び図２は図４のＡ−Ａ断面図、図３は図１のＢ−Ｂ断面図であるが、この調節機構は、上部形成体１と下部形成体２とで形成され、このうち、上部形成体１には、粉粒体３を垂直に投下する投下路４が形成され、下部形成体２には、投下路４から投下された粉粒体３を堆積させる堆積室５と、堆積室５を透過させる搬送風を流通させる搬送風路６が形成されている。
【０００８】
具体的には、上部形成体１にパイプ７を垂直にねじ込み、この内部を投下路４としている。なお、パイプ７の上方にはホース等でタンク（図示省略）を接続し、これに粉粒体３を貯蔵している。一方、堆積室５は、下部形成体２の上面から凹陥した形態で形成されており、堆積室５を挟む両側に同芯状に形成された上流側風路６ａと下流側風路６ｂとで搬送風路６を形成している。なお、上流側風路６ａと下流側風路６ｂとも、その断面は堆積室５の深さよりも浅い直径を有する円形に形成されている。
【０００９】
そして、上部形成体１は、下部形成体２の上面をスライドできるようになっており、下部形成体２に回転可能に設けられた調整ねじ８を上部形成体１にねじ込んで、調整ねじ８の回転でスライドするようになっている。なお、このとき、下部形成体２の上面にガイド９を取り付け、上部形成体１はこのガイド９で下部形成体２に対して平行にスライドできるようにしている。さらに、上部形成体１と下部形成体２とのスライド面には、堆積室５を取り囲むようにシール１０が設けられている。
【００１０】
堆積室５は、平面視で長円形又は長方形をしているものであり、上流側風路６ａと下流側風路６ｂ（搬送風路６）は、その長手方向に直交して形成されている。さらに、上流側風路６ａと下流側風路６ｂは、堆積室５の長手方向の端面と底面に接した状態で形成されている。堆積室５を流通する搬送風の風束を保持するためと、投下路４の移動距離に対して堆積室５の面積を小さくするためである。
【００１１】
以上により、粉粒体３を投下路４から投下すると、粉粒体３は自重によって堆積室５の中で長手方向には山形に堆積するようになる。すなわち、投下路４を堆積室５の中央に位置させたとき、堆積室５は、搬送風路６と直角な方向では、この山形の裾野を確保できる程度の広さにしているのである。なお、搬送風路６と平行な方向では、堆積室５の広さは投下路４の径よりやや広い程度にしてあり、山形の稜線が壁面に接した下方は壁面一杯に広がって堆積する。
【００１２】
搬送風路６には搬送風を流通させるのであるが、このときの搬送風をある程度の圧力を有するものにしておき、上流側風路６ａから堆積室５を通過して下流側通路６ｂへと流通して行くときにもその風束は乱れないようにしておく。これにより、搬送風は、自身の風束が山形に堆積した粉粒体３と重複する部分Ａを掠め取って下流側通路６ｂに流れる。そして、掠めとられた部分には新たな粉粒体３が補充され、結局、粉粒体３は連続的に搬送される。したがって、投下路４と搬送風路６との距離を上記した調整ねじ８によって接近、離反させることで、重複する部分Ａの面積が異なり、搬送風に含まれる粉粒体３の量・密度を高精度に調整できる。このとき、きわめて微量の粉粒体３であっても搬送できるのは上述したおりである。
【００１３】
この間、粉粒体３は何物にも接触することはないから、砂礫のような研削作用がある粉粒体３であっても、摩耗等の問題が起きない。さらに、本発明者等が試験したところ、粉粒体３の圧力と搬送風の圧力が等しいほど、搬送風に混じる粉粒体３の量の調整の精度が上がることが確認されている。したがって、圧力空気をタンク等に供給して粉粒体３を加圧するとともに、その圧力でもって搬送風を流通させることになる。なお、圧力を高くするほど、搬送風の流速を上げることができる。
【００１４】
ところで、実際の風送装置では、上流側通路６ａ、下流側通路６ｂともに配管１１、１２が接続されており、上流側の配管１１からはコンプレッサ等で加圧された圧力空気が供給され、粉粒体３混じりの高速空気は、下流側の配管１２によって所要の搬送先に搬送される。以上の調節機構は、粉粒体であればどのようなものにも適用できる。具体的には、穀物、鉱物、砂礫（土砂）、金属、木材、セラミック、ガラス、プラスチック等の粉粒体を搬送する装置・設備に適用できる。
【図面の簡単な説明】
【００１５】
【図１】図４のＡ−Ａ断面図である。
【図２】図４のＡ−Ａ断面図である。
【図３】図４のＢ−Ｂ断面図である。
【図４】本発明に係る調節機構の平面図である。
【符号の説明】
【００１６】
１      上部形成体
２      下部形成体
３      粉粒体
４      投下路
５      堆積室
６      搬送風路
６ａ    上流側風路
６ｂ    下流側風路
７      パイプ
８      調整ねじ
９      ガイド
１０    シール
１１    配管
１２    配管
【図１】
2008105775.tif 000003
【図２】
2008105775.tif 000004
【図３】
2008105775.tif 000005
【図４】
2008105775.tif 000006